(57)【要約】【課題】点検作業者の負担を従来に比べてより少なくする。【解決手段】照明装置点検システムは、自己点検機能を有し、外部ネットワーク３００と接続可能に構成された照明装置１００と、照明装置１００に自己点検を行わせるための点検指示を送信する機能を有し、外部ネットワーク３００に接続可能に構成された遠隔操作端末２００と、を備える。照明装置１００は、外部ネットワーク３００を介して点検指示を受信すると自己点検を行い、当該自己点検の結果の情報である点検結果情報を送信する。遠隔操作端末２００は、外部ネットワーク３００を介して点検結果情報を受信し、当該点検結果情報を表示する。【選択図】図１
2019220378.tif 000002
【特許請求の範囲】
【請求項１】
自己点検機能を有し、外部ネットワークと接続可能に構成された照明装置と、
前記照明装置に自己点検を行わせるための点検指示を送信する機能を有し、外部ネットワークに接続可能に構成された遠隔操作端末と、
を備え、
前記照明装置は、外部ネットワークを介して前記点検指示を受信すると自己点検を行い、当該自己点検の結果の情報である点検結果情報を送信し、
前記遠隔操作端末は、外部ネットワークを介して前記点検結果情報を受信し、当該点検結果情報を表示する照明装置点検システム。
【請求項２】
前記外部ネットワークには、前記遠隔操作端末および前記照明装置が接続可能なネットワーク回線と、当該ネットワーク回線に接続された保管システムと、が含まれ、
前記保管システムは、前記照明装置が送信した前記点検結果情報を受信して保管し、
前記遠隔操作端末は、前記点検結果情報を受信するための点検結果要求を送信する機能を有し、
前記保管システムに保管された前記点検結果情報は、前記点検結果要求を受信した前記保管システムから前記遠隔操作端末へ送信される請求項１に記載の照明装置点検システム。
【請求項３】
前記遠隔操作端末は、前記点検結果情報を受信するための点検結果要求を送信する機能を有し、
前記照明装置は、外部ネットワークを介して前記点検結果要求を受信すると、自己点検が完了している場合には前記点検結果情報を送信し、自己点検が完了していない場合には当該自己点検の経過状態の情報である点検経過情報を前記遠隔操作端末に対して送信する請求項１に記載の照明装置点検システム。
【請求項４】
前記照明装置は、前記点検結果情報を送信してから一定時間以内に当該点検結果情報が前記遠隔操作端末に受信されなかった場合に、当該点検結果情報を再送信する請求項１から請求項３の何れか１項に記載の照明装置点検システム。
【請求項５】
前記保管システムは、前記点検結果情報を送信してから一定時間以内に当該点検結果情報が前記遠隔操作端末に受信されなかった場合に、当該点検結果情報を再送信する請求項２に記載の照明装置点検システム。
【請求項６】
前記遠隔操作端末は、複数の前記照明装置を照明装置群にまとめるためのグループ化指示を送信する機能を有し、
複数の前記照明装置は、前記グループ化指示に基づいて前記照明装置群にまとめられ、
前記遠隔操作端末から送信された前記点検指示は、前記照明装置群に含まれる複数の前記照明装置に対して一斉に送信される請求項１から請求項５の何れか１項に記載の照明装置点検システム。
【請求項７】
前記遠隔操作端末は、受信した前記点検結果情報を予め設定された様式のデータに変換して出力する機能を有する請求項１から請求項６の何れか１項に記載の照明装置点検システム。
【請求項８】
外部ネットワークに接続可能な通信手段と、
遠隔操作端末から送信された点検指示を外部ネットワークおよび前記通信手段を介して受信する受信手段と、
前記受信手段が点検指示を受信すると自己点検を実行させる自己点検手段と、
前記自己点検手段によって実行された自己点検の結果の情報を前記通信手段および外部ネットワークを介して前記遠隔操作端末へ送信する送信手段と、
を備える照明装置。
【発明の詳細な説明】
【技術分野】
【０００１】
本発明は、照明装置点検システムおよび照明装置に関するものである。
【背景技術】
【０００２】
非常灯および誘導灯等の防災用照明装置は、非常時に確実に有効時間だけ光源を点灯させることが必須である。このため、防災用照明装置においては、非常点灯時の性能確認の為の点検を行うことが必要である。従来の自己点検機能が無い防災用照明装置においては、点検作業者が点検スイッチを押し続ける等の方法で、有効点灯時間点灯することを確認する必要があった。また、自己点検機能を有する防災用照明装置においても、防災用照明装置の状態を目視確認するために点検者が防災用照明装置の設置場所にいる必要があった。このように、従来の防災用照明装置の点検作業は、手間がかかるものであり、点検作業者への負担が大きかった。
【０００３】
そこで、例えば、特許文献１には、通信部をお互いに接続してネットワークを構築することにより、複数の誘導灯自動点検装置の制御および監視が出来る機能を持った誘導灯制御監視盤を備えた自動点検システムが記載されている。この自動点検システムは、複数の誘導灯の点検を一括で行うことで点検作業者の負担を削減するものである。
【先行技術文献】
【特許文献】
【０００４】
【特許文献１】特開２００４−１１１３４７号公報
【発明の概要】
【発明が解決しようとする課題】
【０００５】
特許文献１において点検作業者による点検作業の開始および点検結果の確認は、制御監視盤のある場所で行われる必要がある、このため、特許文献１においては、依然として点検作業者への負担が大きい。
【０００６】
本発明は、上記のような課題を解決するためになされたものである。本発明の目的は、点検作業者の負担を従来に比べてより少なくすることが可能である照明装置点検システムおよび照明装置を提供することである。
【課題を解決するための手段】
【０００７】
本発明に係る照明装置点検システムは、自己点検機能を有し、外部ネットワークと接続可能に構成された照明装置と、照明装置に自己点検を行わせるための点検指示を送信する機能を有し、外部ネットワークに接続可能に構成された遠隔操作端末と、を備える。照明装置は、外部ネットワークを介して点検指示を受信すると自己点検を行い、当該自己点検の結果の情報である点検結果情報を送信する。遠隔操作端末は、外部ネットワークを介して点検結果情報を受信し、当該点検結果情報を表示する。
また、本発明に係る照明装置は、外部ネットワークに接続可能な通信手段と、遠隔操作端末から送信された点検指示を外部ネットワークおよび通信手段を介して受信する受信手段と、受信手段が点検指示を受信すると自己点検を実行させる自己点検手段と、自己点検手段によって実行された自己点検の結果の情報を通信手段および外部ネットワークを介して遠隔操作端末へ送信する送信手段と、を備える。
【発明の効果】
【０００８】
本発明に係る照明装置点検システムおよび照明装置によれば、点検作業者の負担を従来に比べてより少なくすることが可能である。
【図面の簡単な説明】
【０００９】
【図１】実施の形態１の照明装置点検システムの全体構成を示す図である。
【図２】実施の形態１の照明装置点検システムの機能ブロック図である。
【図３】実施の形態１の照明装置の構成の一例を示すブロック図である。
【図４】実施の形態１の照明装置点検システムの動作例を示す図である。
【図５】実施の形態１の遠隔操作端末の画面表示例を示す図である。
【図６】実施の形態２の照明装置点検システムの動作例を示す図である。
【図７】実施の形態３のグループ化を説明する図である。
【図８】実施の形態３のグループ化された照明装置群を含む照明装置点検システムの動作例を示す図である。
【図９】実施の形態３の照明装置点検システムの変形例を示す図である。
【図１０】実施の形態３の変形例における点検指示の送信動作を示す図である。
【図１１】実施の形態４の照明装置点検システムの動作例を示す図である。
【図１２】実施の形態５の照明装置点検システムの動作例を示す図である。
【発明を実施するための形態】
【００１０】
以下、添付の図面を参照して、本発明を実施するための形態について説明する。各図における同一の符号は、同一の部分または相当する部分を示す。重複する説明については、適宜に簡略化または省略する。
【００１１】
実施の形態１．
図１は、実施の形態１の照明装置点検システムの全体構成を示す図である。図２は、実施の形態１の照明装置点検システムの機能ブロック図である。本実施の形態に係る照明装置点検システムは、図１および図２に示すように、照明装置１００および遠隔操作端末２００を備えている。
【００１２】
本実施の形態に係る照明装置点検システムに備えられた照明装置１００は、自己点検機能を有する。照明装置１００は、例えば、非常灯または誘導灯等の防災用照明装置である。
【００１３】
本実施の形態の照明装置１００は、外部ネットワーク３００と接続可能に構成されていることを特徴としている。一例として、照明装置１００には、外部ネットワーク３００に接続可能な通信手段として、通信用インターフェース１０１が搭載されている。外部ネットワーク３００は、照明装置１００の外部のネットワークであり、ネットワーク回線３０１等によって構成される。ネットワーク回線３０１には、例えば、通信事業者のもつ電話回線、ＡＤＳＬおよび光回線等が該当する。
【００１４】
遠隔操作端末２００は、外部ネットワーク３００に接続可能に構成された端末である。遠隔操作端末２００には、例えば、ネットワーク回線３０１に接続可能なスマートフォン等のモバイル機器、タブレット端末およびパーソナルコンピュータ等が該当する。一例として、遠隔操作端末２００には、外部ネットワーク３００に接続可能な通信用インターフェース２０１が搭載されている。
【００１５】
なお、遠隔操作端末２００は、モバイル機器、タブレット端末およびパーソナルコンピュータ等の汎用機器でもよいし、本実施の形態の照明装置点検システム専用のリモートコントローラー等の端末でもよい。遠隔操作端末２００には、照明装置点検システムを使用するためのアプリケーションまたはソフトウェアが組み込まれる。遠隔操作端末２００は、照明装置１００の点検を行う点検作業者によって操作される。点検作業者は、遠隔操作端末２００を操作することで、照明装置１００の点検を行う。
【００１６】
上記のように構成された本実施の形態の照明装置点検システムにおいて、照明装置１００と遠隔操作端末２００とは、外部ネットワーク３００を介して相互に通信を行うことができる。照明装置１００と遠隔操作端末２００とは、互いの位置に依らずに、相互に通信を行う事が可能である。すなわち、遠隔操作端末２００は、当該遠隔操作端末２００を操作する点検作業者がどこにいても、照明装置１００と相互に通信を行うことが可能である。
【００１７】
遠隔操作端末２００は、画面を備えるとともに、照明装置１００に自己点検を行わせるための点検指示を送信する機能を有する。点検作業者は、遠隔操作端末２００を操作することで、当該遠隔操作端末２００に点検指示を送信させる。照明装置１００は、外部ネットワーク３００を介して遠隔操作端末２００から送信された点検指示を受信する。このように、点検作業者は、外部ネットワーク３００に接続された遠隔操作端末２００を操作することで、点検指示を照明装置１００へ任意の場所から送信することが可能である。
【００１８】
外部ネットワーク３００に接続された照明装置１００は、遠隔操作端末２００から送信された点検指示を外部ネットワーク３００を介して受信する。点検指示を受信した照明装置１００は、自己点検を行う。自己点検を行った照明装置１００は、この自己点検の結果の情報である点検結果情報を送信する。
【００１９】
外部ネットワーク３００に接続された遠隔操作端末２００は、照明装置１００から送信された点検結果情報を外部ネットワーク３００を介して受信する。外部ネットワーク３００に接続された遠隔操作端末２００は、照明装置１００に対する自端末の位置に依らずに、任意の位置で点検結果情報を受信することができる。点検結果情報を受信した遠隔操作端末２００は、当該点検結果情報を画面に表示する。
【００２０】
上記のように構成された本実施の形態の照明装置点検システムによれば、点検作業者は、照明装置１００の点検を任意の場所で行うことができる。また、点検作業者は、照明装置１００の点検結果を任意の場所で確認することができる。本実施の形態であれば、照明装置１００の点検業務にかかる時間を短縮することができる。また、遠隔操作端末２００による点検結果情報の表示は、当該遠隔操作端末２００を操作する点検作業者が選択した任意の時間において行われる。点検作業者は、任意の時間に照明装置１００の点検結果を任意の時間に確認することができる。このように、本実施の形態の照明装置点検システムであれば、点検作業者の負担をより少なくすることが可能である。
【００２１】
照明装置１００と遠隔操作端末２００との通信は、ネットワーク回線３０１に接続された保管システム３１０を経由して行われてもよい。保管システム３１０は、一時的に情報を保持または保管するシステムである。保管システム３１０は、例えば、ネットワーク回線３０１に接続されたサーバ上に構築される。
【００２２】
また、照明装置１００は、保管システム３１０を介してネットワーク回線３０１に接続するように構成されていてもよい。同様に、遠隔操作端末２００は、保管システム３１０を介してネットワーク回線３０１に接続するように構成されていてもよい。本開示において単に「外部ネットワーク３００」と称するものには、この保管システム３１０およびネットワーク回線３０１をまとめたものが含まれる。
【００２３】
図３は、実施の形態１の照明装置１００の構成の一例を示すブロック図である。ここで、各図を参照し、本実施の形態に係る照明装置点検システムの各構成要素について、より詳細に説明する。なお、上記したように、照明装置１００と遠隔操作端末２００との通信は、保管システム３１０を介して行われてもよい。以下、一例として、照明装置１００、遠隔操作端末２００および保管システム３１０を含む照明装置点検システムについて説明する。
【００２４】
照明装置１００には、図３に示すように、蓄電池１０２が内蔵されている。また、照明装置１００は、非常時に蓄電池１０２の電力によって点灯可能な光源１０３を備えている。さらに、照明装置１００は、図２および図３に示すように、当該照明装置１００の動作全般を制御するためのコントロールユニット１１０を備えている。
【００２５】
コントロールユニット１１０は、制御回路１２０および記憶演算装置１３０を備えている。また、コントロールユニット１１０には、例えば、図３に示すように、外部のＡＣ電源から供給される電力を変換するための整流回路１１１が設けられる。なお、整流回路１１１は、図２においては図示を省略している。
【００２６】
制御回路１２０は、蓄電池１０２および光源１０３等の動作を制御するための回路である。制御回路１２０には、例えば、整流回路１１１に接続された電源生成回路１２１が含まれる。また、制御回路１２０には、例えば、蓄電池１０２を充電するための充電回路１２２が含まれる。さらに、制御回路１２０には、例えば、常用点灯回路１２３および非常用点灯回路１２４が含まれる。常用点灯回路１２３は、通常時に光源１０３を点灯させるためのものである。非常用点灯回路１２４は、非常時に蓄電池１０２の電力によって光源１０３を点灯させるためのものである。
【００２７】
本実施の形態の照明装置１００の自己点検は、蓄電池１０２および光源１０３に接続された制御回路１２０が動作することで実行される。なお、照明装置１００には、例えば、点検作業者は手動で点検を行うための点検スイッチ１０４が設けられていてもよい。自己点検手段の一例である制御回路１２０は、図示しない自己点検スイッチが操作された時点で自己点検が実行されるように動作してもよい。
【００２８】
記憶演算装置１３０は、例えば、マイコン等の機器である。記憶演算装置１３０には、各種の情報が記憶される。また、記憶演算装置１３０は、各種の演算を行う。記憶演算装置１３０と制御回路１２０とは、互いに接続されている。記憶演算装置１３０には、制御回路１２０から各種の信号が入力される。また、制御回路１２０は、記憶演算装置１３０からの出力に基づいて動作する。
【００２９】
記憶演算装置１３０は、一例として、図２に示すように、ＣＰＵ１３１、送受信部１３２、点検結果保存更新部１３３、点検実施部１３４および動作条件記憶部１３５を有している。ＣＰＵ１３１は、予め記憶されたプログラムを実行することによって予め設定された処理を実行するものである。
【００３０】
送受信部１３２は、通信用インターフェース１０１および外部ネットワーク３００を介して遠隔操作端末２００から点検指示を受信するためのものである。また、送受信部１３２は、点検結果情報を通信用インターフェース１０１および外部ネットワーク３００を介して送信するためのものでもある。本実施の形態において送受信部１３２は、照明装置１００が備える受信手段および送信手段を構成している。
【００３１】
点検結果保存更新部１３３は、照明装置１００の自己点検の結果の情報である点検結果情報の保存および保存された点検結果情報の更新のためのものである。点検結果保存更新部１３３に保存された点検結果情報は、送受信部１３２によって、通信用インターフェース１０１および外部ネットワーク３００を介して遠隔操作端末２００へ送信される。
【００３２】
点検実施部１３４は、照明装置１００の自己点検を実行させるためのものである。点検実施部１３４は、送受信部１３２が点検指示を受信すると、自己点検が実行されるように制御回路１２０が動作するための処理を行う。本実施の形態における点検実施部１３４は、自己点検を実行させる自己点検手段の一例である。また、動作条件記憶部１３５には、照明装置１００の各種の動作条件が記憶される。
【００３３】
また、遠隔操作端末２００は、図２に示すように、記憶演算装置２３０を備えている。この記憶演算装置２３０は、記憶演算装置１３０と同様、マイコン等の機器である。照明装置点検システムを使用するためのアプリケーションまたはソフトウェアは、記憶演算装置２３０に組み込まれ、また当該記憶演算装置２３０によって実行される。
【００３４】
記憶演算装置２３０は、一例として、図２に示すように、ＣＰＵ２３１、送受信部２３２、点検指示部２３３、点検予約部２３４および動作条件記憶部２３５を有している。ＣＰＵ２３１は、ＣＰＵ１３１と同様、予め記憶されたプログラムを実行することによって予め設定された処理を実行するものである。
【００３５】
送受信部２３２は、通信用インターフェース２０１、外部ネットワーク３００および通信用インターフェース１０１を介して、送受信部１３２と通信を行う。本実施の形態において、送受信部２３２は、送受信部１３２への点検指示の送信および送受信部１３２からの点検結果情報の受信等を行う。送受信部２３２が受信した点検結果情報は、遠隔操作端末２００に設けられた液晶ディスプレイ等の画面によって表示される。なお、遠隔操作端末２００が点検結果情報を表示する手段は任意のものでよく、液晶ディスプレイに限定されるものではない。
【００３６】
点検指示部２３３は、点検作業者による遠隔操作端末２００の操作に応じて点検指示を生成するものである。点検指示部２３３によって生成された点検指示は、送受信部２３２によって送信される。また、点検予約部２３４、点検作業者は予約点検を行うための予約情報を生成する。この予約情報には、照明装置１００が自己点検を行う時刻等の情報が含まれる。予約情報は、点検作業者による遠隔操作端末２００の操作に応じて生成される。点検予約部２３４によって生成された予約情報は、点検指示とともに送受信部２３２によって送信される。
【００３７】
また、動作条件記憶部２３５には、点検作業者によって設定された照明装置１００の各種の動作条件が記憶される。動作条件記憶部２３５に記憶された動作条件は、送受信部２３２によって送信される。送信された動作条件は、外部ネットワーク３００を介して、照明装置１００の送受信部１３２によって受信される。送受信部１３２によって受信された動作条件は、動作条件記憶部１３５に記憶される
【００３８】
次に、上記のように構成された照明装置点検システムの動作を説明する。図４は、実施の形態１の照明装置点検システムの動作例を示す図である。
【００３９】
まず、点検作業者は、遠隔操作端末２００を操作し、点検対象である照明装置１００に自己点検を行わせるための点検指示を送信させる。なお、点検作業者は、点検指示とともに予約情報を遠隔操作端末２００に送信させてもよい（ステップＳ２０１）。
【００４０】
遠隔操作端末２００から送信された点検指示は、保管システム３１０に受信される（ステップＳ３０１）。保管システム３１０は、受信した点検指示を、点検対象である照明装置１００に対して送信する（ステップＳ３０２）。
【００４１】
保管システム３１０から送信された点検指示は、照明装置１００に受信される（ステップＳ１０１）。照明装置１００は、点検指示を受信すると、自己点検を自動で実施する（ステップＳ１０２）。なお、予約情報が遠隔操作端末２００から送信された場合には、当該予約情報は、保管システム３１０を介して照明装置１００に受信される。予約情報を受信した照明装置１００は、当該予約情報に基づいて、点検作業者が設定した時刻になると自己点検を自動で実施する。自己点検を完了した照明装置１００は、自己点検の結果の情報である点検結果情報を送信する（ステップＳ１０３）。
【００４２】
照明装置１００から送信された点検結果情報は、保管システム３１０に受信される（ステップＳ３０３）。点検結果情報は、保管システム３１０に一時的に保管される。照明装置１００から送信された点検結果情報は、遠隔操作端末２００からの点検指示の送信時と同様、保管システム３１０を経由して遠隔操作端末２００に受信される。
【００４３】
本実施の形態において、遠隔操作端末２００による点検結果情報の受信および表示は、当該遠隔操作端末２００を操作する点検作業者が選択した任意の時間において行われる。例えば、遠隔操作端末２００は、点検結果情報を受信するための点検結果要求を送信する機能を有している。点検作業者は、点検結果情報を確認したい時に、遠隔操作端末２００を操作して点検結果要求を送信する（ステップＳ２０２）。遠隔操作端末２００から送信された点検結果要求は、保管システム３１０に受信される（ステップＳ３０４）。
【００４４】
点検結果要求を受信した保管システム３１０は、一時的に保管した点検結果情報を送信する（ステップＳ３０５）。点検作業者の操作によって点検結果要求を送信した遠隔操作端末２００は、保管システム３１０から送信された点検結果情報を受信する（ステップＳ２０３）。点検結果情報を受信した遠隔操作端末２００は、当該点検結果情報を表示する。遠隔操作端末２００によって表示された点検結果情報を点検作業者が確認することで、照明装置１００の点検作業は完了する（ステップＳ２０４）。
【００４５】
なお、本実施の形態の照明装置点検システムには、複数の照明装置１００が含まれていてもよい。複数の照明装置１００のそれぞれの個体識別は、各照明装置１００に予め設定されたアドレスを用いて行われる。各照明装置１００のアドレスの設定は、例えば、コントロールユニット１１０の生産時に、生産ラインにおいて記憶演算装置１３０にアドレスが書き込まれることで実現される。各照明装置１００のアドレスは、例えば、下一桁が一台毎にカウントアップするように設定される。
【００４６】
そして、照明装置１００が設置される際に、当該照明装置１００のアドレス情報の取得が、遠隔操作端末２００または別の機器によって行われる。取得されたアドレス情報は、点検作業者へ伝えられる。点検作業者は、アドレス情報を確認して、任意の点検対象の照明装置１００に対し、点検指示を送信する。
【００４７】
図５は、実施の形態１の遠隔操作端末２００の画面表示例を示す図である。図５（ａ）は、点検指示および予約情報の送信時における遠隔操作端末２００の画面のイメージである。図５（ａ）に示すように、遠隔操作端末２００の画面には、各照明装置１００のアドレス情報が表示される。点検作業者は、表示されたアドレス情報を確認して、点検を行う照明装置１００を選択する。そして、点検作業者は、点検対象の各照明装置１００に対し、点検開始時刻を設定する。点検作業者は、即時または設定した任意の時刻を選択し、送信ボタンを押下する。これにより、点検指示が送信される。また、任意の時刻が設定された場合は、予約情報が送信される。
【００４８】
なお、一度設定された点検開始時刻は、その時刻になる前であれば変更可能である。一度設定された点検開始時刻の情報は、保管システム３１０に保管される。点検作業者が遠隔操作端末２００の操作を繰り返すことで、保管システム３１０に保管された情報は更新される。これにより、点検開始時刻が変更される。
【００４９】
また、図５（ｂ）は点検結果要求の送信時における遠隔操作端末２００の画面のイメージである。図５（ｂ）に示すように、点検が実行された各照明装置１００のアドレスの情報が表示される。点検作業者は、表示されたアドレス情報を確認し、点検結果を確認したい照明装置１００のアドレス情報に対してチェックをして送信ボタンを押下する。これにより。チェックされたアドレス情報に対応した照明装置１００の点検結果情報を取得するための点検結果要求が送信される。
【００５０】
図５（ｃ）は、点検結果情報の表示時における遠隔操作端末２００の画面のイメージである。遠隔操作端末２００によって表示される点検結果情報には、例えば、各照明装置１００の点検結果の合否、点灯時間、規定時間後の放電電圧（蓄電池の電圧）、蓄電池の寿命の判定結果等の項目が含まれる。
【００５１】
以上に示したように、照明装置点検システムを構成することで、点検作業者は、照明装置１００のある現場に赴く必要なく、当該照明装置１００の点検を実施することができる。点検作業者は、遠隔操作端末２００を操作することで、外部ネットワーク３００を介して照明装置１００を遠隔操作することができる。また、点検作業者は例えば、照明装置１００の自己点検を夜間に実施させて、点検結果は点検作業者の都合の良い時間に確認することができる。本実施の形態の照明装置点検システムによれば、点検業務によって点検作業者が拘束される時間を削減することができる。
【００５２】
例えば、有効点灯時間が一般定格の非常灯の点検作業においては、点検開始から完了までの間に点検作業者が拘束される時間のうち計３０分間程度の時間を従来に比べて削減することができる。長時間定格の非常灯の点検作業においては、点検開始から完了までの間に点検作業者が拘束される時間のうち計６０分間程度の時間を従来に比べて削減することができる。また、例えば、有効点灯時間が一般定格の誘導灯の点検作業においては、点検開始から完了までの間に点検作業者が拘束される時間のうち計２０分間程度の時間を従来に比べて削減することができる。長時間定格の誘導灯の点検作業においては、点検開始から完了までの間に点検作業者が拘束される時間のうち計６０分間程度の時間を従来に比べて削減することができる。
【００５３】
上記したように、本実施の形態の照明装置点検システムおよび照明装置１００であれば、点検作業者の負担を従来に比べてより少なくすることが可能である。例えば、夜間など、照明装置１００が設定された建物内に人が居ない場合に、点検作業者は当該建物に入ることなく照明装置１００の点検を行うことができる。また、例えば、単に非常点灯が行われるかどうかを確認するといった、本来実施すべき項目が盛り込まれていない不十分な点検が実施されるおそれも抑制される。
【００５４】
なお、照明装置１００と遠隔操作端末２００との通信は、保管システム３１０を経由せずに行われてもよい。例えば、点検結果情報の保管は、保管システム３１０の代わりに照明装置１００に搭載されたマイコン等の記憶演算装置１３０によって行われてもよい。遠隔操作端末２００から送信された点検結果要求は、照明装置１００に受信されてもよい。そして、照明装置１００は、遠隔操作端末２００から送信された点検結果要求を受信すると点検結果情報を送信するように構成されていてもよい。
【００５５】
実施の形態２．
次に、実施の形態２について説明する。実施の形態１と同一または相当する部分については、同じ符号を付し、また、説明を簡略化および省略する。本実施の形態の照明装置点検システムは、実施の形態１と同様、照明装置１００および遠隔操作端末２００を備える。照明装置１００および遠隔操作端末２００は、外部ネットワーク３００を介して通信を行う。外部ネットワーク３００には、例えば、ネットワーク回線３０１および保管システム３１０が含まれる。
【００５６】
図６は、実施の形態２の照明装置点検システムの動作例を示す図である。図６に示される本実施の形態の照明装置点検システムは、リピート機能を有することを特徴としている。遠隔操作端末２００の電源がオフである場合あるいは遠隔操作端末２００がネットワーク回線３０１に接続できない圏外にある場合等においては、照明装置１００から送信された点検結果情報が遠隔操作端末２００へ不達となりうる。リピート機能とは、点検結果情報が遠隔へ不達となった場合に、点検結果情報を再送信する機能である。以下、図６を参照し、実施の形態１との相違点を中心に、本実施の形態の照明装置点検システムの動作について説明する。
【００５７】
図６（ａ）において、ステップＳ２１１およびステップＳ２１２は、それぞれ、実施の形態１のステップＳ２０１およびステップＳ２０２と同様のため、詳細な説明を省略する。また、ステップＳ３１１からステップＳ３１４は、実施の形態１のステップＳ３０１からステップＳ３０４と同様のため、詳細な説明を省略する。ステップＳ１１１からステップＳ１１３は、実施の形態１のステップＳ１０１からステップＳ１０３と同様のため、詳細な説明を省略する。
【００５８】
保管システム３１０は、ステップＳ３１３において受信した点検結果情報を保管する。保管システム３１０は、ステップＳ３１４で点検結果要求を受信すると、保管した点検結果情報を送信する（ステップＳ３１５）。ここで、保管システム３１０が送信した点検結果情報が遠隔操作端末２００に受信されなかった場合には（ステップＳ２１３）、保管システム３１０は点検結果情報を再送信する。保管システム３１０は、例えば、点検結果情報を送信してから一定時間が経過すると、点検結果情報を再送信する。この一定時間は、例えば、遠隔操作端末２００によって予め設定される。保管システム３１０は、遠隔操作端末２００が受信する点検結果情報が最新の点検結果情報となるように、情報の管理を行う。
【００５９】
保管システム３１０が送信した点検結果情報が遠隔操作端末２００に受信された場合（ステップＳ２１３）、当該点検結果情報が遠隔操作端末２００によって表示される。表示された点検結果情報を点検作業者が確認することで、照明装置１００の点検作業が完了する（ステップＳ２１４）。
【００６０】
また、図６（ｂ）は、実施の形態２の変形例を示すものである。図６（ｂ）に示すように、点検結果情報の再送信は、照明装置１００によって行われてもよい。以下、図６（ｂ）に示す実施の形態２の変形例について、より詳細に説明する。
【００６１】
図６（ｂ）において、ステップＳ２２１およびステップＳ２２２は、それぞれ、図６（ａ）のステップＳ２１１およびステップＳ２１２と同様である。図６（ｂ）のステップＳ３２１およびステップＳ３２２は、それぞれ、図６（ａ）のステップ３１１および３１２と同様である。また、図６（ｂ）のステップＳ３２５およびステップＳ３２６は、それぞれ、図６（ａ）のステップ３１４および３１５と同様である。図６（ｂ）のステップＳ１２１からステップＳ１２３は、図６（ａ）の実施の形態１のステップＳ１１１からステップＳ１１３と同様である。
【００６２】
ステップＳ１２３において照明装置１００から送信された点検結果情報は、保管システム３１０に受信されて保管される。保管システム３１０は、受信した点検結果情報が、照明装置１００から１回目に送信されたものであるか再送信されたものであるか判定する（ステップＳ３２３）。
【００６３】
保管システム３１０は、受信した点検結果情報が照明装置１００から１回目に送信されたものである場合、当該点検結果情報を保管した状態で待機する（ステップＳ３２４）。また、保管システム３１０は、受信した点検結果情報が照明装置１００から再送信されたものである場合、当該点検結果情報を送信する。保管システム３１０は、ステップＳ３２５で点検結果要求を受信した場合にも、点検結果情報を送信する（ステップＳ３２６）。
【００６４】
保管システム３１０が送信した点検結果情報が遠隔操作端末２００に受信された場合（ステップＳ２２３）、当該点検結果情報が遠隔操作端末２００によって表示される。表示された点検結果情報を点検作業者が確認することで、照明装置１００の点検作業が完了する（ステップＳ２２４）。また、保管システム３１０が送信した点検結果情報が遠隔操作端末２００に受信されなかった場合には（ステップＳ２２３）、保管システム３１０は、照明装置１００に点検結果情報を再送信させるための点検結果要求を送信する（ステップＳ３２７）。保管システム３１０からの点検結果要求を受信した照明装置１００は、点検結果情報を再送信する。
【００６５】
図６（ａ）におけるステップＳ２１３の判定および図６（ｂ）におけるステップＳ２２３の判定は、換言すると、照明装置１００または保管システム３１０が点検結果情報を送信してから一定時間以内に当該点検結果情報が遠隔操作端末２００に受信されたか否かの判定である。上記の判定は、遠隔操作端末２００、保管システム３１０および照明装置１００の何れによって実行されてもよい。
【００６６】
以上に示したように、本実施の形態の照明装置点検システムは、遠隔操作端末２００に対して点検結果情報が送信されてから一定時間以内に当該点検結果情報が遠隔操作端末２００に受信されなかった場合に、照明装置１００および保管システム３１０の少なくとも一方が当該点検結果情報を再送信するように構成されている。本実施の形態の照明装置点検システムであれば、例えば、点検作業者が点検結果を確認する手間が軽減される。また、点検作業者が点検結果を確認し忘れる等のミスが発生する可能性も抑制される。
【００６７】
なお、照明装置１００と遠隔操作端末２００との通信は、実施の形態１と同様、保管システム３１０を介さずに行われてもよい。点検結果情報の管理は、保管システム３１０ではなく、照明装置１００のコントロールユニット１１０に搭載されたマイコン等の記憶演算装置１３０によって実施されてもよい。
【００６８】
実施の形態３．
次に、実施の形態３について説明する。本実施の形態の照明装置点検システムは、上記した各実施の形態と同様、照明装置１００および遠隔操作端末２００を備える。照明装置１００および遠隔操作端末２００は、上記した各実施の形態と同様、外部ネットワーク３００を介して通信を行う。
【００６９】
図７および図８は、本実施の形態の照明装置点検システムの動作例を示す図である。特に、図７は、実施の形態３のグループ化を説明する図である。また、図８は、実施の形態３のグループ化された照明装置群を含む照明装置点検システムの動作例を示す。
【００７０】
図７および図８に示される本実施の形態の照明装置点検システムは、複数同時点検機能を有することを特徴としている。点検対象となる照明装置１００は、例えば、同じ建物の中に複数台設置されている場合がある。複数同時点検機能とは、複数の照明装置１００を１つの照明装置群にグループ化して、グループ化された複数の照明装置１００の点検をまとめて行う機能である。以下、図７および図８を参照し、上記した各実施の形態との相違点を中心に、本実施の形態の照明装置点検システムについて説明する。なお、図７においては、簡略化のため、「グループ」を「GP」と表記している。
【００７１】
本実施の形態において、遠隔操作端末２００は、複数の照明装置１００を照明装置群にまとめるためのグループ化指示を送信する機能を有している。図７に示すように、点検作業者は、遠隔操作端末２００を操作し、まとめて点検を行いたい複数台の照明装置１００を照明装置群にまとめるためのグループ化指示を送信する（ステップＳ２３１）。なお、照明装置群の数は、１つまたは２つ以上、すなわち任意でよい。グループ化の設定は、照明装置１００の個体識別のためのアドレスを用いて行われる。
【００７２】
遠隔操作端末２００から送信されたグループ化指示は、保管システム３１０を経由し（ステップＳ３３１およびステップＳ３３２）、照明装置１００に受信される（ステップＳ１３１）。照明装置１００は、受信したグループ化指示に基づいてグループ化を実施する（ステップＳ１３２）。グループ化が完了すると、照明装置１００は、グループ化が完了したことを示す情報であるグループ化完了情報を送信する（ステップＳ１３３）。
【００７３】
照明装置１００から送信されたグループ化完了情報は、保管システム３１０を経由し（ステップＳ３３３およびステップＳ３３４）、遠隔操作端末２００に受信される（ステップＳ２３２）。遠隔操作端末２００が受信したグループ化完了情報を点検作業者が確認するとこで、図７に示すグループ化が終了する。
【００７４】
グループ化が終了した後、点検作業者は、図８に示すように、遠隔操作端末２００を操作し、点検対象である照明装置群に自己点検を行わせるための点検指示を送信させる（ステップＳ２４１）。以降の動作は、基本的に、実施の形態１と同様である。図８におけるステップＳ２４１からステップＳ２４４は、実施の形態１のステップＳ２０１からステップＳ２０４と同様のため、詳細な説明を省略する。ステップＳ３４１からステップＳ３４５は、実施の形態１のステップＳ３０１からステップＳ３０５と同様のため、詳細な説明を省略する。また、ステップＳ１４１からステップＳ１４３は、実施の形態１のステップＳ１０１からステップＳ１０３と同様のため、詳細な説明を省略する。
【００７５】
本実施の形態において、遠隔操作端末２００からの点検指示の送信は、図８に示すように、照明装置群毎に対して行われる。遠隔操作端末２００から送信された点検指示は、照明装置群に含まれる複数の照明装置１００に対して一斉に行われる。各照明装置１００は、点検指示を受信すると自己点検を実施する。本実施の形態であれば、点検作業者は、複数の照明装置１００の点検をまとめて行うことができる。
【００７６】
また、図８に示すように、遠隔操作端末２００への点検結果情報の送信は、各照明装置群が行う。本実施の形態であれば、点検作業者は、複数の照明装置１００の点検結果をまとめて確認することができる。このように、本実施の形態の照明装置点検システムであれば、点検作業者の負担をより少なくすることが可能である。
【００７７】
なお、グループ化の対象となる複数の照明装置１００は、必ずしも同一の建物に設置されていなくてもよい。例えば、第１の建物に設置された照明装置１００と第２の建物に設置された照明装置１００とが１つの照明装置群にグループ化されてもよい。また、点検作業者は、遠隔操作端末２００を操作することによって、照明装置群に含まれる複数の照明装置１００の全てではなく一部の点検結果情報を受信してもよい。
【００７８】
また、照明装置１００と遠隔操作端末２００との通信は、実施の形態１および実施の形態２と同様、保管システム３１０を介さずに行われてもよい。例えば、グループ化の処理およびグループ化完了情報の管理は、保管システム３１０で行われてもよいし、照明装置１００に搭載された記憶演算装置１３０で行われてもよい。
【００７９】
また、図９は、実施の形態３の照明装置点検システムの変形例を示す図である。図１０は、実施の形態３の変形例における点検指示の送信動作を示す図である。本変形例において、照明装置点検システムは、さらにスケジュール機能を有することを特徴としている。スケジュール機能とは、各照明装置１００が点検されるタイミングをずらす機能である。
【００８０】
上記した実施例と同様、本変形例において点検作業者は、まとめて点検を行いたい複数台の照明装置１００を照明装置群にまとめるためのグループ化指示を送信する（ステップＳ２５１）。ここで点検作業者は、照明装置群としてまとめたい複数の照明装置１００の中の１台を親機として設定する。この親機以外の照明装置は、当該親機に対する子機として設定される。親機および子機の設定に関する情報を含むグループ化指示は、保管システム３１０を経由して照明装置１００に対して送信される（ステップＳ３５１およびステップＳ３５２）。
【００８１】
親機および子機の設定に関する情報を含むグループ化指示は、照明装置群に含まれる各照明装置１００に受信される（ステップＳ１５１ａおよびステップＳ１５１ｂ）。複数の照明装置１００は、受信したグループ化指示に基づいてグループ化を実施する（ステップＳ１５２ａおよびステップＳ１５２ｂ）。これにより、照明装置群が形成される。また、この照明装置群のうちの１台が親機になり、その他が子機になる。
【００８２】
親機および子機を含む照明装置群は、グループ化完了情報を送信する（ステップＳ１５３ａおよびステップＳ１５３ｂ）。照明装置群から送信されたグループ化完了情報は、保管システム３１０を経由し（ステップＳ３５３およびステップＳ３５４）、遠隔操作端末２００に受信される（ステップＳ２５２）。遠隔操作端末２００が受信したグループ化完了情報を点検作業者が確認するとこで、親機と子機との設定およびグループ化が終了する。
【００８３】
親機と子機との設定およびグループ化が終了した後、点検作業者は、図１０に示すように、遠隔操作端末２００を操作し、点検指示を送信させる（ステップＳ２５３）。遠隔操作端末２００から送信された点検指示は、保管システム３１０を介して親機および子機へ送信される（ステップＳ３５５およびステップＳ３５６）。
【００８４】
ここで、保管システム３１０は、各照明装置１００が点検されるタイミングをずらすように点検指示を送信する。例えば、保管システム３１０は、親機に点検指示を送信するタイミングと子機に点検指示を送信するタイミングをずらす。また、保管システム３１０は、例えば、各照明装置１００に送信する点検指示に、各照明装置１００が点検を開始する時刻の情報を含ませる。この時刻は、それぞれ異なる時刻として設定される。なお、各照明装置１００が点検されるタイミングをずらすように行われる点検指示の管理は、保管システム３１０ではなく遠隔操作端末２００に搭載された記憶演算装置２３０によって行われてもよい。
【００８５】
図９に示すように、親機および子機は、点検指示を受信する（ステップＳ１５４ａおよびステップＳ１５４ｂ）。点検指示を受信した親機および子機は、自己点検を実施する（ステップＳ１５５ａおよびステップＳ１５５ｂ）。一例として、照明装置群のうち、まず親機が自己点検を最初に開始する。親機の自己点検が開始した後、子機が一台ずつまたは複数台ずつ自己点検を開始する。各照明装置１００の自己点検が開始する時点の間隔は、遠隔操作端末２００を操作する点検作業者によって任意の間隔に設定される。なお、各照明装置１００の自己点検が開始する時点の間隔は、自己点検に要する時間である有効点灯時間以上であることが好ましい。
【００８６】
自己点検を完了した子機は、点検結果情報を親機へ送信する（ステップＳ１５６ｂ）。自己点検を完了した親機は、子機の点検結果情報の全てを受信したか判定する（ステップＳ１５６ａ）。自己点検を完了した親機は、子機の点検結果情報の全てを受信していない場合には、子機の点検結果情報の全てを受信するまで待機する（ステップＳ１５７ａ）。自己点検を完了した親機は、子機の点検結果情報の全てを受信すると、各照明装置１００の点検結果情報をまとめて送信する（ステップＳ１５８ａ）。このように、本変形例において、照明装置群に含まれる複数の照明装置１００の点検結果情報は、親機によってまとめて送信される。
【００８７】
ステップＳ１５８ａ以降の動作は、図８におけるステップＳ１４３以降の動作と同様である。図９におけるステップＳ３５７からステップＳ３５９は、図８におけるステップＳ３４３からステップＳ３４５と同様のため、詳細な説明を省略する。また、図９におけるステップＳ２５４からステップＳ２５６は、図８におけるステップＳ２４２からステップＳ２４４と同様のため、詳細な説明を省略する。親機によってまとめて送信された点検結果情報は、遠隔操作端末２００によって受信される。
【００８８】
例えば、建物内に人が居る際に非常状態が発生した場合、当該建物に設置された全ての照明装置１００が同時に点検されていると、各照明装置１００は避難誘導等の本来の機能を満足にはたすことが出来なくなってしまうおそれがある。本変形例によって示したスケジュール機能は、このような状況において有効な機能である。
【００８９】
実施の形態４．
次に、実施の形態４について説明する。本実施の形態の照明装置点検システムは、上記した各実施の形態と同様、照明装置１００および遠隔操作端末２００を備える。本実施の形態の遠隔操作端末２００は、報告書作成機能を有することを特徴としている。報告書作成機能とは、規定の様式の報告書のデータを作成して出力する機能である。
【００９０】
図１１は、実施の形態５の照明装置点検システムの動作例を示す図である。図１１におけるステップＳ２６１からステップＳ２６４は、実施の形態１の図４におけるステップＳ２０１からステップＳ２０４と同様である。また、図１１におけるステップＳ３６１からステップＳ３６５は、実施の形態１の図４におけるステップＳ３０１からステップＳ３９５と同様である。図１１におけるステップＳ１６１からステップＳ１６３は、実施の形態１の図４におけるステップＳ１０１からステップＳ１０３と同様である。上記の実施の形態１と同様の各ステップについての詳細な説明は省略する。
【００９１】
照明装置１００の点検作業者には、点検結果を報告書または点検票にまとめて報告することが義務付けられている。報告書または点検票の様式は、関連法令等によって規定されている。本実施において遠隔操作端末２００は、受信した点検結果情報に基づいて、点検結果が記載された報告書のデータを自動的に作成する（ステップＳ２６５）。報告書のデータの作成は、例えば、遠隔操作端末２００に組み込まれたアプリケーションまたはソフトウェアによって行われる。本実施の形態であれば、点検作業者が報告書を作成するための時間が削減される。
【００９２】
ここで、報告書の作成方法についての具体例を説明する。点検作業者は、遠隔操作端末２００内に予め報告書作成アプリをインストールしておく。この報告書作成アプリには、規定の報告書の様式データが収められている。ここで、報告書作成アプリに収められる様式データは、一般的な文書作成ソフトウェアに適合した形式のデータであることが望ましい。また、点検作業者は、遠隔操作端末２００または別の機器を用いて、照明装置１００の種類の情報を報告書作成アプリに予め設定して保存しておく。照明装置１００の種類には、例えば、避難口設置型、通路設置型、客席誘導灯が含まれる。報告書作成アプリがインストールされた遠隔操作端末が点検結果情報を受信すると、当該報告書作成アプリは、当該点検結果情報に基づいて、予め収められた様式データに点検結果を記載していく。  
【００９３】
なお、報告書作成アプリによって作成される報告書のデータは、法令で規定される様式と完全一致していなくてもよい。例えば、報告書作成アプリは、非常点灯に関する項目以外の項目を追記可能な報告書のデータを作成してもよい。非常点灯に関する項目以外の項目としては、例えば、照明装置１００の外観、表示灯の目視確認結果等が含まれる。このように、本実施の形態における遠隔操作端末２００は、受信した点検結果情報を予め設定された様式のデータに変換して出力する機能を有するように構成されていればよい。遠隔操作端末２００によって変換されて出力されるデータは、任意の形式でよい。
【００９４】
実施の形態５．
次に、実施の形態５について説明する。本実施の形態の照明装置点検システムは、上記した各実施の形態と同様、照明装置１００および遠隔操作端末２００を備える。照明装置１００および遠隔操作端末２００は、上記した各実施の形態と同様、外部ネットワーク３００を介して通信を行う。
【００９５】
図１２は、実施の形態５の照明装置点検システムの動作例を示す図である。図１２に示される本実施の形態の照明装置点検システムは、点検途中経過確認機能を有することを特徴としている。点検途中経過確認機能とは、照明装置１００の自己点検の経過状態の情報である点検経過情報を点検作業者に確認可能にする機能である。以下、図１２を参照し、上記した各実施の形態との相違点を中心に、本実施の形態の照明装置点検システムについて説明する。
【００９６】
上記した各実施の形態と同様、照明装置の点検作業を行いたい点検作業者は、図１２に示すように、遠隔操作端末２００を操作して点検指示を送信させる（ステップＳ２７１）。遠隔操作端末２００から送信された点検指示は、保管システム３１０を介し（ステップＳ３７１およびステップＳ３７２）、照明装置１００によって受信される（ステップＳ１７１）。点検指示を受信した親機および子機は、自己点検を実施する（ステップＳ１７２）。
【００９７】
また、点検作業者は、点検結果情報を確認したい時に、遠隔操作端末２００を操作して点検結果要求を送信する（ステップＳ２７２）。遠隔操作端末２００から送信された点検結果要求は、保管システム３１０を介して照明装置１００へ送信される（ステップＳ３７３およびステップＳ３７４）。
【００９８】
点検結果要求を受信した照明装置１００は、自己点検が完了しているか否かの判定を行う（ステップＳ１７３）。自己点検実施前、自己点検実施途中、自己点検実施完了等、自己点検の経過状態は、照明装置１００内部のコントロールユニット１１０にあるマイコン等の記憶演算装置１３０で監視可能である。照明装置１００は、自己点検が完了している場合には、点検結果情報を送信する（ステップＳ１７４）。照明装置１００から送信された点検結果情報は、保管システム３１０に保管された後、当該保管システム３１０から送信される（ステップＳ３７５およびステップＳ３７６）。なお照明装置１００は、自己点検が完了している場合には、点検結果要求を受信していなくても保管システム３１０に点検結果情報を送信してもよい。
【００９９】
保管システム３１０から送信された点検結果情報は、遠隔操作端末２００に受信される（ステップＳ２７３）。点検結果情報を受信した遠隔操作端末２００は、当該点検結果情報を表示する。遠隔操作端末２００によって表示された点検結果情報を点検作業者が確認することで、照明装置１００の点検作業が完了する（ステップＳ２７４）。
【０１００】
ステップＳ１７３において自己点検が完了していない場合には、照明装置１００は、自己点検の経過状態の情報である点検経過情報を遠隔操作端末２００に対して送信する。点検経過情報は、保管システム３１０を介し（ステップＳ３７７およびステップＳ３７８）、遠隔操作端末２００に受信される（ステップＳ２７５）。遠隔操作端末２００は、受信した点検経過情報を表示する。本実施の形態であれば、点検作業者は、照明装置１００の点検結果だけなく照明装置１００の自己点検の経過状態も確認することができる。点検経過情報には、例えば、自己点検が開始したか否か、自己点検が開始してからの経過時間、等の各種の状態が含まれる。本実施の形態の点検途中経過確認機能によれば、点検作業者が遠隔操作端末２００を操作する手間がより削減され、また、点検結果を確認するために点検作業者が拘束される時間がより短縮される。
【０１０１】
なお、本開示に係る照明装置点検システムおよび照明装置は、上記の各実施の形態によって示されるものに限定されない。また、上記の各実施の形態によって開示される構成および機能は、組み合わせることが可能である。本開示に係る照明装置点検システムおよび照明装置には、上記の各実施の形態によって示される構成のあらゆる変形およびあらゆる組み合わせが含まれ得る。例えば、本開示に係る照明装置点検システムには、実施の形態２のリピート機能、実施の形態３の複数同時点検機能およびスケジュール機能、実施の形態４の報告書作成機能および実施の形態５の点検途中経過確認機能のうちの任意の２つ以上の機能を有するものが含まれる。
【符号の説明】
【０１０２】
１００  照明装置、  １０１  通信用インターフェース、  １０２  蓄電池、  １０３  光源、  １０４  点検スイッチ、  １１０  コントロールユニット、  １１１  整流回路、  １２０  制御回路、  １２１  電源生成回路、  １２２  充電回路、  １２３  常用点灯回路、  １３０  記憶演算装置、  １３１  ＣＰＵ、  １３２  送受信部、  １３３  点検結果保存更新部、  １３４  点検実施部、  １３５  動作条件記憶部、  ２００  遠隔操作端末、  ２０１  通信用インターフェース、  ２３０  記憶演算装置、  ２３１  ＣＰＵ、  ２３２  送受信部、  ２３３  点検指示部、  ２３４  点検予約部、  ２３５  動作条件記憶部、  ３００  外部ネットワーク、  ３０１  ネットワーク回線、  ３１０  保管システム
【図１】
2019220378.tif 000003
【図２】
2019220378.tif 000004
【図３】
2019220378.tif 000005
【図４】
2019220378.tif 000006
【図５】
2019220378.tif 000007
【図６】
2019220378.tif 000008
【図７】
2019220378.tif 000009
【図８】
2019220378.tif 000010
【図９】
2019220378.tif 000011
【図１０】
2019220378.tif 000012
【図１１】
2019220378.tif 000013
【図１２】
2019220378.tif 000014